(57)【要約】各番組のキーフレーム画像を活用する、テレビ番組選択システム及び方法。キーフレーム画像は、番組が進行するにつれて録画されたショーから抽出される。このキーフレーム画像の連続体は、視聴者に各番組の要約した筋書きと範囲を提供し、したがって、録画及び／又は鑑賞したい、番組の賢明な選択を視聴者に可能にさせる。
2004521552.tif 000002
【特許請求の範囲】
【請求項１】
特定の時間及びチャンネルにおいて差し込まれたテレビ番組における、各番組のキーフレーム画像を含むグリッドと、前記キーフレーム画像の連続する公開を現すために前記差し込まれた番組を選択する手段と、を含むテレビ番組選択システム。
【請求項２】
前記キーフレーム画像は前記番組の筋書き又は進行にしたがう連続でもたらされることを特徴とする請求項１に記載のテレビ番組選択システム。
【請求項３】
前記キーフレーム画像の一つは強調されることを特徴とする請求項１に記載のテレビ番組選択システム。
【請求項４】
前記キーフレーム画像は、少なくとも一つのサウンド・バイト及び／又はテキストメッセージを含むことを特徴とする請求項１に記載のテレビ番組選択システム。
【請求項５】
前記強調されたキーフレーム画像は、前記番組のテーマを最も示すことを特徴とする請求項３に記載のテレビ番組選択システム。
【請求項６】
複数のテレビ番組から好ましいテレビ番組を選択する方法であって、該方法は、
ａ）原文どおりに記載された番組の表示から特定番組を選択する段階と、
ｂ）キーフレーム画像の連続として前記特定番組を表示する段階と、
を含むことを特徴とする方法。
【請求項７】
前記段階（ｂ）と一致する前記キーフレーム画像の表示が、前記特定番組の筋書又は進行に連続的にしたがい、少なくとも一つの前記キーフレーム画像が強調されることを特徴とする請求項６に記載の好ましいテレビ番組を選択する方法。
【請求項８】
前記キーフレーム画像は、少なくとも一つのサウンド・バイト及び／又は本文のメッセージを含むことを特徴とする請求項６に記載のテレビ番組選択方法。
【請求項９】
前記少なくとも一つの強調されたキーフレーム画像は、前記番組のテーマを最も示すことを特徴とする請求項７に記載のテレビ番組選択方法。
【請求項１０】
特定の時間及びチャンネルにおいて差し込まれたテレビ番組のグリッドを含んでおり、該グリッドはテレビ視聴者によって選択された各テレビ番組のキーフレーム画像を表示することを特徴とする、テレビ番組選択システム。
【請求項１１】
前記各選択されたテレビ番組はサウンド・バイトを含むことを特徴とする請求項１０に記載のテレビ番組選択システム。
【請求項１２】
前記グリッドは各番組における前記キーフレーム画像の連続を表示し、さらに前記連続は特定番組の進行にしたがうことを特徴とする請求項１０に記載のテレビ番組選択システム。
【発明の詳細な説明】
【０００１】
本発明はテレビ番組選択システムに関し、ここでテレビ視聴者に利用可能な番組情報が提供され、次に、ほとんどの可能性において、よい娯楽の源泉になるだろうと視聴者らが信じる番組を選択することが可能である。
【０００２】
過去において、テレビ視聴者は、テレビ番組表、新聞のテレビガイド欄、さらに他の記載された情報源を見ることによって視聴者が見たい番組を選択した。せいぜい、この種の情報は、特定の映画、特別なホームコメディー及び他番組の内容物について一般大衆に提示する見地から、謎めいているか又は、制限された。特別なテレビ番組を提供する場合のような、映画の内容におけるページ全体の記載が利用可能であった場合でさえ、多くの視聴者はしばしば失望した。これは、書かれたページの固有の冷淡さによることが一部の理由であった。書かれた物語単独で、各個人の心理に映画がもたらすであろう、強烈さ、行動及び情動を十分に伝えることができない。
【０００３】
テレビチャンネル数は爆発的に増加して、さらに、ユーザに利用可能な番組は著しいほど増加した。この傾向は近い将来まで続くように思える。したがって、娯楽番組をより選択的に選択するための増大する必要性がある。
【０００４】
番組の増加に加えて、３６時間のテレビ時間の記録を可能にする、ティーボ（ＴｉＶｏ）のような機械は、より有益な番組の選択を行なう必要を拡大した。
【０００５】
本文の記載は、情報が与えられた番組選択を行なうためにテレビ視聴者に十分な情報を提供することがかなり不適当であるという発見を本発明が反映している。
【０００６】
本発明はテレビ番組選択システムであり、かかるシステムにおいて、各番組の選択は録画されたショーから抽出されるキーフレームとしてスクリーンに表示される。キーフレームは記載の必要性に置き換わることを意味するが、表示されている情報を強調する簡潔なメッセージと共に使用することができうる。キーフレームは、映画における次に来るアトラクションと似ていなくもない、連続するモザイク形態で、又はフラッシング画像の連続として示すことができる。キーフレーム画像の連続は、ショーが進行するにつれて、ショーの連続体を表し、その結果、番組のプロット、範囲及び要旨の表示された印象を迅速に得る。キーフレームは、それら自身が、テーマを例示する強調されたフレームを含んでいる。
【０００７】
米国特許第５，８２２，０１４号明細書において、番組選択方法が示されており、かかる方法においてテレビショーはモザイク画像によって表示される。モザイクは９つの長方形に分割され、各々はチャンネル送信ロゴを示している。システムは、モザイク画像中を移動する性能の提供により、視聴者に柔軟性を提供する。
【０００８】
特許第０８３０７７２８Ａにおいて、方法は、基づいたジャンルである、事前に選択された画像によって表示する番組のために描かれる。例えば、野球中継はバットを構える選手によって表現される。しかしながら、本発明とは異なり、画像はキーフレームではないし、また、ショーの筋書き又は進行を表現しない。テレビに画像を表示することに加えて、かかる前述の開示は携帯型の遠隔装置にこれらの画像を表示することを熟考する。
【０００９】
米国特許第６，００５，５６２号明細書において、縮小された画像、及び番組内容の要約を備えたテレビ番組を表示するための方法が示されている。特に、受信に際して、ＥＰＧデータは受信された番組データから分割され、画像が縮小され、標準サイズ未満のＥＰＧデータが表示される。
【００１０】
本発明と一致して、選択的なテレビ番組の選択はキーフレーム情報の表示を介して成されうる、方法とシステムが示される。特定のショーのキーフレームは、番組の筋書きの要約した連続体を提供するために、ショーの進行中に抽出される。テレビ番組選択システムは、記載の必要性と置き換えるために、録画されたショーから抽出されたキーフレームを使用する。しかしながら、キーフレーム画像が、表示されている情報を強調するために簡潔なメッセージ及び／又はサウンド・バイトと共に使用されうることが熟考される。
【００１１】
キーフレームは映画の次に来るアトラクションと似ていなくもない、フラッシング画像の連続のような、連続する形態で示すことができる。キーフレーム画像の連続は、プロットの連続体、番組の範囲及び要旨を表示する。キーフレームは、それら自身が、単一色で例示されたフレームなどのような、テーマを例示する強調されたフレームを含んでいる。
【００１２】
本発明の目的は、ショーの範囲、プロット及び特性を高度に示す、改良されたテレビ番組選択システムを提供することである。
【００１３】
本発明のさらなる目的は、視聴者を要約した連続体のショーの筋書き又はプロットにしたがわせるために、連続する形態のキーフレーム情報を特徴とする、テレビ番組選択システムを提供することである。
【００１４】
本発明の完全な理解は、下記の詳細な記載と共に、添付図を参照することによって成される。
【００１５】
簡素で明瞭にする目的において、本発明の装置における同様の構成部分と要素は、図において同じ表示か、又は同じ番号付けがされる。
【００１６】
一般的に、本発明は、各番組のキーフレーム画像を活用する、テレビ番組選択システム及び方法を特徴とする。キーフレームは、番組が進行するにつれて、録画されたショーから抽出される。かかる画像の連続体は、視聴者に各番組の要約した筋書きと範囲を提供し、したがって、視聴者が録画及び／又は鑑賞したい、番組の賢明な選択を視聴者に可能にさせる。
【００１７】
ここで図１を参照するに、ブロック図は典型的な従来のテレビ番組選択グリッド１０を例示する。見て分かるように、テレビ番組選択グリッド１０は、グリッド１０の上部に表示された時間軸１２と、グリッド１０の左側に表示されるテレビチャンネル軸１４によって包含される。個々の時間スロット１６は、ｘ軸か、又は時間軸１２に沿って表示される。個々のチャンネルスロット１８は、ｙ軸か、又はテレビチャンネル軸１４に沿って表示される。グリッド１０は、時間とチャンネルのスロットに利用可能な番組に関する本文の情報を有する、複数の番組ウィンドウ１５を含む。このタイプの本文の選択グリッド１０は番組内容を提供せず、その結果、テレビ視聴者は、彼等が鑑賞及び／又は録画したい番組として賢明な選択を成すことができない。
【００１８】
図２を参照するに、本発明に一致するテレビ番組選択グリッド２０のブロック図が示される。従来のグリッド１０と同様に、新規なグリッド２０は、時間スロット１６を有する時間軸１２と、チャンネルスロット１８を含むチャンネル軸１４を備える。しかしながら、従来のグリッド１０と異なり、本発明のグリッド２０は、各々の差し込まれた番組に関する画像情報を含んでいる、ショーウィンドウ１５´を備える。画像は、意図する番組の簡潔な一見を提供する。テレビ視聴者は、新しい画像グリッド２０を視界に入れるか又はもたらすために、グリッド１０のウィンドウ１５でクリックする、視聴者の遠隔制御棒（示されていない）か、又はマウス（テレビがコンピュータのモニタで放送されている場合）を使用するように指示される。
【００１９】
ショーウィンドウ１５´によって表示された特定の番組に関心があるテレビ視聴者は、関心の特定ウィンドウ１５´を選択するために、メニューテキスト、機械指示、又はそうでなければ、視聴者等の遠隔制御棒か、若しくはマウスを使用して指示されうる。そのようにして、ウィンドウは番組の連続する一連のキーフレーム画像の表示を開始する。連続する、キーフレーム画像がショーの進行に関連しており、その結果、特定のショーにおける一連の連続するキーフレームで視聴者に提供される。キーフレームは番組が進行するにつれて、録画されたショーから抽出される。この画像の連続体は、視聴者に各番組の要約した筋書きと範囲を提供し、したがって、視聴者が録画及び／又は鑑賞したい、番組の賢明な選択を視聴者に可能にさせる。かかるキーフレームは、単一色の画像を表示することによって、又は明るい境界を備えることなどで、強調されるかもしれない。強調されたキーフレームは、番組全体のテーマを最も表すであろう。各キーフレーム画像はまた、視聴者の理解をさらに高めるであろう、簡素な本文のメッセージ及び／又はサウンド・バイトによって達成されるかもしれない。
【００２０】
当業者にとって他の修正及び変更が特定操作の要求及び環境において成されることが明白であり、本発明は開示する目的において、選択された実施例を限定することを考慮しておらず、本発明の趣旨と範囲を逸脱しない限り、すべての変更及び修正を含む。
【００２１】
したがって、特許証によって保護されると望まれる、記載された発明は、請求項で示される。
【図面の簡単な説明】
【００２２】
【図１】従来のテレビ番組選択グリッドのブロック図である。
【図２】本発明と一致する、テレビ番組選択グリッドのブロック図である。
【図１】
2004521552.tif 000003
【図２】
2004521552.tif 000004
【国際公開パンフレット】
2004521552.tif 000005
2004521552.tif 000006
2004521552.tif 000007
2004521552.tif 000008
2004521552.tif 000009
2004521552.tif 000010
2004521552.tif 000011
2004521552.tif 000012
【国際公開パンフレット（コレクトバージョン）】
2004521552.tif 000013
【国際調査報告】
2004521552.tif 000014
2004521552.tif 000015
2004521552.tif 000016